(57)【要約】【課題】未だ着目されてない新たな環境要素を改善することで動植物が良好に成長する育成空間を形成することができる動植物育成設備を提供する。【解決手段】外界と隔絶された動植物の育成空間２１を形成する構造体２０と、前記育成空間２１の全体に磁界を形成する磁界形成手段３０とを備える。また、外界と隔絶された動植物の育成空間２１を形成する構造体２０と、前記育成空間２１に外部から空気を供給する空気供給手段４０と、該空気供給手段４０によって供給される空気を磁界処理する供給空気磁界処理手段４１とを備える。さらに、外界と隔絶された動植物の育成空間２１を形成する構造体２０と、前記育成空間２１の空気を育成空間２１内にて循環させる空気循環手段５０と、該空気循環手段５０によって循環される空気を磁界処理する循環空気磁界処理手段５１とを備える。【選択図】図１
2005333836.tif 000002
【特許請求の範囲】
【請求項１】
外界と隔絶された動植物の育成空間を形成する構造体と、
前記育成空間の全体に磁界を形成する磁界形成手段と
を備えることを特徴とする動植物育成設備。
【請求項２】
外界と隔絶された動植物の育成空間を形成する構造体と、
前記育成空間に外部から空気を供給する空気供給手段と、
該空気供給手段によって供給される空気を磁界処理する供給空気磁界処理手段と
を備えることを特徴とする動植物育成設備。
【請求項３】
外界と隔絶された動植物の育成空間を形成する構造体と、
前記育成空間の空気を育成空間内にて循環させる空気循環手段と、
該空気循環手段によって循環される空気を磁界処理する循環空気磁界処理手段と
を備えることを特徴とする動植物育成設備。
【発明の詳細な説明】
【技術分野】
【０００１】
本発明は、動植物育成設備に関するものであり、詳しくは、畜産物、農産物、水産物等の動植物を育成する育成空間の環境を改善する動植物育成設備に関するものである。
【背景技術】
【０００２】
牛、豚、鶏等の畜産物を、畜舎等を構成する構造体によって形成された育成空間にて育成することがある。また、野菜、果物、茸等の農産物を、温室等を構成する構造体によって形成された育成空間にて育成することもある。さらに、魚、貝、海老等の水産物を、生簀や水槽等を構成する構造体によって形成された育成空間にて育成することもある。このように、畜産物、農産物、水産物等の動植物を、適宜の構造体によって形成された育成空間にて育成する場合には、従来、温度、湿度、或いは、光量等の適宜の環境要素を調節することで、動植物が良好に成長するようしにしていた。
【０００３】
上記背景技術は、一般的になされている事項であり、本願出願人は、出願時において、この背景技術を特定するような記載がなされた文献を特に知見していない。
【発明の開示】
【発明が解決しようとする課題】
【０００４】
しかしながら、従来から提案されている動植物の育成空間についての環境の改善要素は、温度、湿度、光量等に止まり、未だ、不十分である。
【０００５】
本発明は、上記実状を鑑みてなされたものであり、未だ着目されてない新たな環境要素を改善することで動植物が良好に成長する育成空間を形成することができる動植物育成設備の提供を課題とするものである。
【課題を解決するための手段】
【０００６】
上述した課題を解決するために本発明の採った手段は、
「外界と隔絶された動植物の育成空間を形成する構造体と、
前記育成空間の全体に磁界を形成する磁界形成手段と
を備えることを特徴とする動植物育成設備」
である。
【０００７】
上記構成の動植物育成設備では、構造体によって外界と隔絶された育成空間の全体について、磁界形成手段によって磁界が形成される。ここで、磁界によって動植物の細胞を活性化させることができることは知られている。よって、上記構成の動植物育成設備によれば、「磁界」といった新たな環境要素を改善することができ、動植物が良好に成長する育成空間を形成することができる。
【０００８】
また、
「外界と隔絶された動植物の育成空間を形成する構造体と、
前記育成空間に外部から空気を供給する空気供給手段と、
該空気供給手段によって供給される空気を磁界処理する供給空気磁界処理手段と
を備えることを特徴とする動植物育成設備」
である。
【０００９】
上記構成の動植物育成設備では、育成空間に外部から供給される空気が供給空気磁界処理手段によって磁界処理される。ここで、流体の粒子（分子の集合体）は、磁界を通すことによって微細化されることは知られている。例えば、通常の水の粒子は、１５個程度の分子の集合体であるが、１２５ｍＴ（ミリテスラ）（１２５０Ｇｓ（ガウス））の磁界を通して磁界処理することで、５個程度の分子の集合体に微細化される。よって、空気を磁界処理することで、空気を構成する気体の粒子や、空気中の水蒸気の粒子が微細化される。このように粒子が微細化された空気の環境下では、動植物の生育に必要な酸素や水分が良好に吸収され、動植物が良好に成長する。従って、上記構成の動植物育成設備によれば、「空気中の粒子」といった新たな環境要素を改善することができ、動植物が良好に成長する育成空間を形成することができる。
【００１０】
また、磁界を通すことで雑菌を減菌或いは滅菌できることも知られている（例えば、特開平１−２５７４７３号公報）。よって、「雑菌の減菌或いは滅菌」といった新たな環境要素を改善することもでき、この点からも、動植物が良好に成長する育成空間を形成することができる。
【００１１】
なお、水産物を育成する動植物育成施設では、育成空間が、生簀、プール、水槽等、水を蓄える容器（以下、「水容器」と称する）の内部の領域に限られるばかりでなく、水容器が設置された建屋等の施設全体における内部領域も育成空間と捉えることができる。よって、空気供給手段は、水容器内の水に空気を供給するものに限らず、施設全体の内部に空気を供給するものであってもよい。
【００１２】
また、
「外界と隔絶された動植物の育成空間を形成する構造体と、
前記育成空間の空気を育成空間内にて循環させる空気循環手段と、
該空気循環手段によって循環される空気を磁界処理する循環空気磁界処理手段と
を備えることを特徴とする動植物育成設備」
である。
【００１３】
上記構成の動植物育成設備では、育成空間内にて循環する空気が、循環空気磁界処理手段によって磁界処理される。よって、循環する空気についての「空気中の粒子」や「雑菌の減菌或いは滅菌」といった新たな環境要素を改善することができ、動植物が良好に成長する育成空間を形成することができる。
【００１４】
なお、水産物を育成する動植物育成施設では、上述した通り、育成空間が水容器内の領域ばかりでなく、水容器が設置された施設内の領域でもある。よって、空気循環手段は、水容器内の空気を循環するものに限らず、施設全体の内部の空気を循環するものであってもよい。
【発明の効果】
【００１５】
上述した通り、本発明に係る動植物育成設備によれば、未だ着目されてない新たな環境要素を改善することで動植物が良好に成長する育成空間を形成することができる。
【発明を実施するための最良の形態】
【００１６】
以下、本発明の一実施形態である動植物育成設備について、図面に基づいて詳細に説明する。
【００１７】
図１に示すように、動植物育成設備１０は、動植物を育成する育成空間２１を形成する構造体２０を備えている。ここで、動植物が、牛、豚、鶏等の鳥獣類であり、育成空間２１が、牛舎、豚舎、鶏舎等の畜舎により形成される場合、構造体２０は、畜舎を構成するものとなる。また、動植物が、野菜、果物、花、苗、茸等の植物であり、育成空間２１が、ビニールハウス、ガラスハウス、温室等の建屋、或いは、ポット、鉢、苗床等の植生容器により形成される場合、構造体２０は、建屋や植生容器を構成するものとなる。さらに、動植物が、魚、貝、海老、蟹等の魚介類であり、育成空間２１が、生簀、水槽、プール等の水容器、或いは、水容器が設置される建屋により形成される場合、構造体２０は、水容器や建屋を構成するものとなる。
【００１８】
なお、育成空間２１は、動植物を単に搬送するための搬送容器の内部空間であってもよく、この場合、構造体２０は、搬送容器を構成するものとなる。また、育成空間２１は、構造体２０によって外界と隔絶された状態となっているが、この隔絶した状態は、外界と完全に遮断された状態であってもよく、テント、柵等の構造体２０等のように、側部や上部等、一部が開放されるようにして外界と区画された状態であってもよい。
【００１９】
動植物育成設備１０は、育成空間２１全体に磁界を形成する磁界形成手段３０を備えている。ここで、磁界形成手段３０としては、育成空間２１全体に巻回された電磁コイルを用いたもの、育成空間２１全体の周囲の適所に設けられた永久磁石を用いたもの等、適宜の構造を採用することができる。また、磁界形成手段３０は、構造体２０に内蔵されたものであってもよく、或いは、構造体２０の内面や外面に装着されたものであってもよい。
【００２０】
このように育成空間２１に磁界を形成することで、育成空間２１を、動植物の良好な成長を促進する環境とすることができる。
【００２１】
なお、磁界形成手段３０を、電磁コイルを用いて構成する場合、直流電流によって磁界を形成するようにしてもよく、或いは、交流電流によって磁界を形成するようにしてもよい。ここで、交流電流によって磁界を形成することとすると、交流電流の振動数に応じて磁力線の方向が変動する。このため、磁力線の方向の絶え間ない変動によっても、動植物の成長を促進することができる。また、磁力線の方向が変動するように電流の方向を切り換える時間間隔を、秒単位、分単位、或いは、時間単位で任意に調節できるようにしてもよい。
【００２２】
また、電磁コイルを鉛直方向の軸線周りに巻回されたものとすれば、磁力線が鉛直方向の磁界を形成することができる。また、電磁コイルを水平方向の軸線周りに巻回されたものとすれば、磁力線が水平方向の磁界を形成することができる。ここで、磁界形成手段３０としては、磁力線が鉛直方向の磁界を形成するもの、或いは、磁力線が水平方向の磁界を形成するもののうち、一方であってもよいが、双方を兼ね備えたものであってもよい。磁力線が鉛直方向の磁界を形成する電磁コイルと、磁力線が水平方向の磁界を形成する電磁コイルとを併用する態様では、夫々の電磁コイルの通電量を個別に調節できるようにすることが好適である。磁力線方向及び磁力が異なる磁界を合成することで、多様な磁界形態を実現することができるからである。
【００２３】
ところで、動植物育成設備１０は、育成空間２１に外部から空気を供給する空気供給手段４０をも備えている。ここで、空気供給手段４０としては、外部の空気を育成空間２１に取り入れる送風ファン及びダクトを備えたもの等、適宜の構造を採用することができる。また、空気供給手段４０が水容器に蓄えられた水の中に空気を供給するものであれば、空気供給手段４０を、エアポンプを用いて構成することもできる。
【００２４】
空気供給手段４０には、供給される空気を磁界処理する供給空気磁界処理手段４１が設けられている。これにより、育成空間２１には、磁界を通した空気が外部から供給される（図示矢印Ａ）。ここで、供給空気磁界処理手段４１は、供給する空気を磁界処理できるものであればよく、電磁コイルを用いたもの、永久磁石を用いたもの等、適宜の構造を採用することができる。
【００２５】
なお、供給空気磁界処理手段４１を、上記送風ファンやエアポンプの上流側に設けてもよく、下流側に設けてもよく、或いは、上流側及び下流側の双方に設けてもよい。ここで、上流側に設ける態様では、送風ファンやエアポンプに進入する円滑な流れの空気を磁界処理することができ、空気を均一に磁界処理することができる。一方、下流側に設ける態様では、送風ファンやエアポンプから送出され、大きな乱れを生じて経路が長くなった流れの空気を磁界処理することができ、空気を効率よく磁界処理することができる。そして、上流側及び下流側の双方に設ける態様では、当然、上述の利点の夫々を得ることができる。
【００２６】
このように育成空間２１に磁界処理された空気を供給することで、育成空間２１を、空気の粒子が微細化され、しかも、雑菌が減菌または滅菌された環境とすることができ、動植物の良好な成長を促進する環境とすることができる。
【００２７】
さらに、動植物育成設備１０は、育成空間２１内に、育成空間２１内の空気を循環させる空気循環手段５０をも備えている。ここで、空気循環手段５０としては、扇風機、送風機等の単に風を送る機器、エアコンディショナーや空気清浄機等の空調機器等、各種の機器を用いて構成することができる。また、空気循環手段５０が、水容器に蓄えられた水の中の空気を、水と共に循環させるものであれば、空気循環手段５０を、水を循環させるポンプを用いて構成することもできる。
【００２８】
空気循環手段５０には、循環される空気を磁界処理する循環空気磁界処理手段５１が設けられている。これにより、育成空間２１には、磁界を通した空気が循環される（図示矢印Ｂ）。ここで、循環空気磁界処理手段５１は、供給する空気を磁界処理できるものであればよく、電磁コイルを用いたもの、永久磁石を用いたもの等、適宜の構造を採用することができる。
【００２９】
このように育成空間２１に磁界処理された空気を循環させることによっても、育成空間２１を、空気の粒子が微細化され、しかも、雑菌が減菌または滅菌された環境とすることができ、動植物の良好な成長を促進する環境とすることができる。
【００３０】
なお、磁界形成手段３０により形成する磁界の磁力が強過ぎると、動植物の良好な成育に支障を来たす虞がある。一方、供給空気磁界処理手段４１や循環空気磁界処理手段５１により磁界処理する磁力が弱過ぎると、空気の粒子の微細化や雑菌の減菌化または滅菌化を良好に行うことができなくなる。よって、供給空気磁界処理手段４１や循環空気磁界処理手段５１により磁界処理する磁力は、磁界形成手段３０により形成する磁界の磁力よりも強いことが好ましい。具体的には、磁界形成手段３０の磁力については、１００ｍＴ（ミリテスラ）（１０００Ｇｓ（ガウス））以下、好ましくは５０ｍＴ（ミリテスラ）（５００Ｇｓ（ガウス））以下、より好ましくは１０ｍＴ（ミリテスラ）（１００Ｇｓ（ガウス））以下、さらに好ましくは１ｍＴ（ミリテスラ）（１０Ｇｓ（ガウス））以下とするのがよい。一方、供給空気磁界処理手段４１や循環空気磁界処理手段５１の磁力については、１００ｍＴ（ミリテスラ）（１０００Ｇｓ（ガウス））以上、好ましくは２００ｍＴ（ミリテスラ）（２０００Ｇｓ（ガウス））以上、より好ましくは３００ｍＴ（ミリテスラ）（３０００Ｇｓ（ガウス））以上、さらに好ましくは５００ｍＴ（ミリテスラ）（５０００Ｇｓ（ガウス））以上とするのがよい。
【００３１】
以上、本発明に係る動植物育成設備の一例を示したが、本発明に係る動植物育成設備はこれに限らず、本発明の要旨を逸脱しない範囲で、適宜の変更が可能である。例えば、（１）「磁界形成手段」、（２）「空気供給手段及び供給空気磁界処理手段」、（３）「空気循環手段及び循環空気磁界処理手段」の全てを備えたもの限らず、上記（１）〜（３）の各構成のうち、少なくとも一つの構成を備えたものであればよい。また、上記（１）及び（２）を組み合わせたものであってもよく、上記（１）及び（３）を組み合わせたものであってもよく、或いは、上記（２）及び（３）を組合わせたものであってもよい。
【００３２】
さらに、例えば図２に示すように、畜舎や建屋等の建築物全体を構成する構造体２０によって動植物の育成空間２１の全体が形成されており、この育成空間２１の内部、すなわち、建築物を構成する構造体２０の内部に、適宜の構造体２０ａによって個々の育成空間２１ａが形成されている場合には、全体の育成空間２１に加えて、個々の育成空間２１ａのうち、適宜の育成空間２１ａについても、上記（１）〜（３）の各構成のうちの少なくとも一つの構成を重複して設けてもよい。なお、図２では、個々の育成空間２１ａの全てに、上記（１）の磁界形成手段３０と同様に構成された第二の磁界形成手段３０ａを設けた例を示す。この図２に示した動植物育成設備１０の詳細については、上述の例と同様な構成について同一の符号を付すことで、説明を省略する。
【００３３】
また、上記（１）の磁界形成手段３０，３０ａを重複して設ける場合においては、各磁界成形手段３０，３０ａの磁力線の方向を異ならせたり、各磁界成形手段３０，３０ａの磁力を個別に調節できるようにすると、合成により多様な形態の磁界を形成できることから好適である。
【００３４】
また、構造体を、組み立て式温室等、組み立て式の建屋とするのも好適である。これにより、仮設型の動植物育成設備とすることができ、ゴルフ場におけるグリーンの芝生の養生、公園やレジャー施設等における地面に植えられた樹木や草花等の養生、畜産物や水産物の一時的な飼育環境の改善等の際に好適に使用でき、動植物育成設備としての汎用性を向上させることができる。
【００３５】
さらに、本発明に係る動植物育成設備では、当然、動植物の成育に必要な水も供給されるのであるが、この供給される水について磁界処理する供給水磁界処理手段を設けてもよい。この供給水磁界処理手段については、上述の供給空気磁界処理手段と同様に構成すればよい。
【図面の簡単な説明】
【００３６】
【図１】本発明に係る動植物育成設備の一例を模式的に示す説明図である。
【図２】本発明に係る動植物育成設備の別例を模式的に示す説明図である。
【符号の説明】
【００３７】
１０    動植物育成設備
２０    構造体
２０ａ  構造体
２１    育成空間
２１ａ  育成空間
３０    磁界形成手段
３０ａ  磁界形成手段
４０    空気供給手段
４１    供給空気磁界処理手段
５０    空気循環手段
５１    循環空気磁界処理手段
【図１】
2005333836.tif 000003
【図２】
2005333836.tif 000004